【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
インプラントのための送達システムであって、
細長い本体と、
該細長い本体と関連付けられ、該細長い本体に沿って移動可能に整列されたインプラント捕捉部材と、
該インプラントに接続可能であり、該インプラント捕捉部材の周囲に少なくとも部分的に位置付けられたテザーと
を備え、
該インプラント捕捉部材は、該テザーの位置を操作し、該インプラントの解放を引き起こすように所定の方向に移動可能である、
送達システム。
【請求項２】
前記細長い本体の遠位端付近に位置付けられた開放空間をさらに備え、前記テザーは、該細長い本体を通過して該開放空間に入る、請求項１に記載の送達システム。
【請求項３】
前記開放空間の少なくとも一部分を通る前記インプラント捕捉部材の自由端の移動は、前記テザーを前記インプラント捕捉部材から解放する、請求項２に記載の送達システム。
【請求項４】
前記細長い本体は、第１の円筒状部材と第２の円筒状部材とを含み、前記開放空間は、該第１の円筒状部材と該第２の円筒状部材との間に形成される、請求項３に記載の送達システム。
【請求項５】
前記細長い本体は、円筒状部材を含み、前記開放空間は、該円筒状部材における開口によって構成される、請求項３に記載の送達システム。
【請求項６】
前記テザーは、第１の自由端および第２の自由端を備え、該第１の自由端および該第２の自由端のそれぞれは、前記埋込型デバイスに固定される、請求項３に記載の送達システム。
【請求項７】
前記テザーは、第１の自由端および第２の自由端を備え、該第１の自由端および該第２の自由端のそれぞれは、該細長い本体に連結される、請求項３に記載の送達システム。
【請求項８】
インプラントのための送達システムであって、
細長い本体と、
該細長い本体の遠位端付近に配置されたインプラント解放機構であって、該細長い本体内に摺動可能に配置された作動部材を備えているインプラント解放機構と、
該インプラントを該細長い本体に保持するように、該インプラントおよび該作動部材に接続可能であるテザーと
を備え、
該作動部材は、該テザーが、該インプラントを該細長い本体に保持することから解放されるように、所定の軸方向に摺動可能である、
送達システム。
【請求項９】
第１の通路を有する第１の筐体部材と、第２の通路を有する第２の筐体部材とをさらに備え、該第１の筐体部材および該第２の筐体部材は、互いから離間され、前記作動部材は、該第１の筐体部材および該第２の筐体部材内で摺動可能に配置されている、請求項８に記載の送達システム。
【請求項１０】
第１の筐体部材をさらに備え、該第１の筐体部材は、該第１の筐体部材を通る通路と、該第１の筐体の壁に位置する開口とを有し、前記作動部材は、該第１の筐体部材および前記第２の筐体部材内で摺動可能に配置されている、請求項８に記載の送達システム。
【請求項１１】
前記作動部材を軸方向に移動させるために、前記細長い本体の近位端付近に位置する作動機構をさらに備えている、請求項８に記載の送達システム。
【請求項１２】
前記作動部材は、該作動部材の遠位端を覆った第１の位置と、該作動部材の遠位端を露出した第２の位置とを有する、請求項８に記載の送達システム。
【請求項１３】
前記テザーは、第１の自由端および第２の自由端をさらに備え、該第１の自由端および該第２の自由端のそれぞれは、前記送達システムに固定される、請求項１２に記載の送達システム。
【請求項１４】
前記テザーは、第１の自由端および第２の自由端をさらに備え、該第１の自由端および該第２の自由端のそれぞれは、前記インプラントに固定される、請求項１２に記載の送達システム。
【請求項１５】
前記開口は、前記第１の筐体部材の長さの軸に対して１０〜８０度の間の切断角を有する遠位部分を備える、請求項１０に記載の送達システム。
【請求項１６】
インプラントを解放するためのシステムであって、
テザーを用いて該インプラントに取り付けられ、脈管系を通る前進のためにサイズ決定された送達システムと、
該送達システムの近位端において作動させられるように構成された解放制御と、
該テザーを作動部材から解放するように摺動可能に後退させられるように構成された作動部材と
を備える、システム。
【請求項１７】
前記作動部材を摺動可能に後退させると、前記作動部材の遠位端が露出する、請求項１６に記載のシステム。
【請求項１８】
前記作動部材を摺動可能に後退させると、前記作動部材から前記テザーのループ状部分が摺動して外れる、請求項１６に記載のシステム。
【請求項１９】
前記作動部材を後退させると、前記作動部材の遠位端が筐体の開口部から露出する、請求項１８に記載のシステム。
【請求項２０】
前記送達システムに対する前記テザーの少なくとも一部分の接続が維持される、請求項１９に記載のシステム。
【手続補正２】
【補正対象書類名】明細書
【補正対象項目名】０００９
【補正方法】変更
【補正の内容】
【０００９】
本発明は、例えば、以下を提供する：
（項目１）
インプラントのための送達システムであって、
細長い本体と、
該細長い本体と関連付けられ、該細長い本体に沿って移動可能に整列されたインプラント捕捉部材と、
該インプラントに接続可能であり、該インプラント捕捉部材の周囲に少なくとも部分的に位置付けられたテザーと
を備え、
該インプラント捕捉部材は、該テザーの位置を操作し、該インプラントの解放を引き起こすように所定の方向に移動可能である、
送達システム。
（項目２）
前記細長い本体の遠位端付近に位置付けられた開放空間をさらに備え、前記テザーは、該細長い本体を通過して該開放空間入る、項目１に記載の送達システム。
（項目３）
前記開放空間の少なくとも一部分を通る前記インプラント捕捉部材の自由端の移動は、前記テザーを前記インプラント捕捉部材から解放する、項目２に記載の送達システム。
（項目４）
前記細長い本体は、第１の円筒状部材と第２の円筒状部材とを含み、前記開放空間は、該第１の円筒状部材と該第２の円筒状部材との間に形成される、項目３に記載の送達システム。
（項目５）
前記細長い本体は、円筒状部材を含み、前記開放空間は、該円筒状部材における開口によって構成される、項目３に記載の送達システム。
（項目６）
前記テザーは、第１の自由端および第２の自由端を備え、該第１の自由端および該第２の自由端のそれぞれは、前記埋込型デバイスに固定される、項目３に記載の送達システム。
（項目７）
前記テザーは、第１の自由端および第２の自由端を備え、該第１の自由端および該第２の自由端のそれぞれは、該細長い本体に連結される、項目３に記載の送達システム。
（項目８）
インプラントのための送達システムであって、
細長い本体と、
該細長い本体の遠位端付近に配置されたインプラント解放機構であって、該細長い本体内に摺動可能に配置された作動部材を備えているインプラント解放機構と、
該インプラントを該細長い本体に保持するように、該インプラントおよび該作動部材に接続可能であるテザーと
を備え、
該作動部材は、該テザーが、該インプラントを該細長い本体に保持することから解放されるように、所定の軸方向に摺動可能である、
送達システム。
（項目９）
第１の通路を有する第１の筐体部材と、第２の通路を有する第２の筐体部材とをさらに備え、該第１の筐体部材および該第２の筐体部材は、互いから離間され、前記作動部材は、該第１の筐体部材および該第２の筐体部材内で摺動可能に配置されている、項目８に記載の送達システム。
（項目１０）
第１の筐体部材をさらに備え、該第１の筐体部材は、該第１の筐体部材を通る通路と、該第１の筐体の壁に位置する開口とを有し、前記作動部材は、該第１の筐体部材および前記第２の筐体部材内で摺動可能に配置されている、項目８に記載の送達システム。
（項目１１）
前記作動部材を軸方向に移動させるために、前記細長い本体の近位端付近に位置する作動機構をさらに備えている、項目８に記載の送達システム。
（項目１２）
前記作動部材は、該作動部材の遠位端を覆った第１の位置と、該作動部材の遠位端を露出した第２の位置とを有する、項目８に記載の送達システム。
（項目１３）
前記テザーは、第１の自由端および第２の自由端をさらに備え、該第１の自由端および該第２の自由端のそれぞれは、前記送達システムに固定される、項目１２に記載の送達システム。
（項目１４）
前記テザーは、第１の自由端および第２の自由端をさらに備え、該第１の自由端および該第２の自由端のそれぞれは、前記インプラントに固定される、項目１２に記載の送達システム。
（項目１５）
前記開口は、前記第１の筐体部材の長さの軸に対して１０〜８０度の間の切断角を有する遠位部分を備える、項目１０に記載の送達システム。
（項目１６）
インプラントを解放するための方法であって、
テザーを用いて該インプラントに取り付けられ、脈管系を通る前進のためにサイズ決定された送達システムを提供することと、
該送達システムの近位端において解放制御を作動させることと、
該テザーを該作動部材から解放するように、該作動部材を摺動可能に後退させることと
を含む、方法。
（項目１７）
前記作動部材を摺動可能に後退させることは、前記作動部材の遠位端を露出することをさらに含む、項目１６に記載の方法。
（項目１８）
前記作動部材を摺動可能に後退させることは、前記作動部材から前記テザーのループ状部分を摺動させ外すことをもたらす、項目１６に記載の方法。
（項目１９）
前記作動部材を後退させることは、前記作動部材の遠位端を筐体の開口部から露出することをさらに含む、項目１８に記載の方法。
（項目２０）
前記送達システムに対する前記テザーの少なくとも一部分の接続を維持することをさらに含む、項目１９に記載の方法。
本発明に従った１つの好ましい実施形態は、機械的に解放可能な送達システムに関する。より具体的には、本実施形態は、送達システムの遠位端におけるテザーによって固定される埋込型デバイスを含む。テザーは、埋込型デバイスに固定され（例えば、ノット、接着剤、溶接等）、選択的に摺動可能なマンドレルの周囲でループ状にされる。マンドレルがその遠位端を露出するように後退させられる時、ループ状テザーは、マンドレルから摺動し外れ、埋込型デバイスを解放する。代替として、テザーは、送達システムに固定され、埋込型デバイスの一部の周囲に巻き付けられ、摺動可能なマンドレル上でループ状にされ得る。好ましくは、マンドレルの移動は、マンドレルの近位端においてマンドレルを把持し、マンドレルを近位方向に摺動させることによって制御され、それによって埋込型デバイスを患者内から解放させる。